(57)【特許請求の範囲】
【請求項１】
リンクシミュレーションを介してセルの信号対雑音比とスループットとのマッピング関係を取得するステップと、
前記ＬＴＥシステムのバンド幅と周波数多重化方式に基づいて、前記セルの各ユーザに平均に割り当てられたＲＢ数を演算するステップと、
ネットワークシミュレーションを介して、前記セルの各ユーザの周波数対干渉雑音比ＣＩＮＲを取得するステップと、
前記信号対雑音比とスループットとのマッピング関係、前記ＲＢ数及び前記ＣＩＮＲに基づいて、前記セルのユーザスループットを確定するステップとを含むロング・ターム・エボリューションＬＴＥシステムにおけるセルのユーザスループット確定方法。
【請求項２】
前記信号対雑音比とスループットとのマッピング関係、前記ＲＢ数及び前記ＣＩＮＲに基づいて、前記セルのユーザスループットを確定した後、
前記セルのユーザスループットに基づいて前記セルのスループットを確定するステップをさらに含む請求項１に記載の方法。
【請求項３】
リンクシミュレーションを介して前記セルの信号対雑音比とスループットとのマッピング関係を取得するステップは、
リンクシミュレーションを介して、前記セルの信号対雑音比とスループットとのマッピング曲線ＳＮＲ−ＴｈｐＰｅｒＲｂを取得するステップを含む請求項１に記載の方法。
【請求項４】
前記ＬＴＥシステムのバンド幅と周波数多重化方式に基づいて、前記セルの各ユーザに平均に割り当てられたＲＢ数を演算するステップは、
前記ＬＴＥシステムのバンド幅と周波数多重化方式に基づいて、前記セルの利用可能のＲＢ数ＲＢＮｕｍを演算するステップと、
前記ＲＢＮｕｍに基づいて、式ＲｂＮｕｍＰｅｒＵｅ=ＲＢＮｕｍ/Ｎｕに従って（Ｎｕは前記セルのアクティブユーザ数である）、前記セルの各ユーザに平均に割り当てられたＲＢ数ＲｂＮｕｍＰｅｒＵｅを演算するステップとを含む請求項３に記載の方法。
【請求項５】
ネットワークシミュレーションを介して、前記セルの各ユーザのＣＩＮＲを取得するステップは、
前記セルにＭ個のユーザを配分し、ネットワークシミュレーションを介して、前記セルのユーザのＣＩＮＲを取得するステップを含む請求項４に記載の方法。
【請求項６】
前記信号対雑音比とスループットとのマッピング関係、前記ＲＢ数及び前記ＣＩＮＲに基づいて、前記セルのユーザスループットを確定するステップは、
ユーザの前記ＣＩＮＲに基づいて、ＳＮＲ−ＴｈｐＰｅｒＲｂ曲線を検索し、前記ユーザの前記ＣＩＮＲの各送信モードでの対応するスループットＴｈｐＰｅｒＲｂの最大値ＴｈｐＰｅｒＲｂ＿ｊを取得するステップと、
前記ＴｈｐＰｅｒＲｂ＿ｊとＲｂＮｕｍＰｅｒＵｅに基づいて、式Ｔｈｐ＿ｊ=ＴｈｐＰｅｒＲｂ＿ｊ*ＲｂＮｕｍＰｅｒＵｅに従って、前記ユーザのスループットＴｈｐ＿ｊを確定するステップとを含む請求項５に記載の方法。
【請求項７】
前記セルスループットは、セル平均スループット及び/セル縁スループットを含む請求項２に記載の方法。
【請求項８】
リンクシミュレーションを介してセルの信号対雑音比とスループットとのマッピング関係を取得するように設置される第１のシミュレーションモジュールと、
前記ＬＴＥシステムのバンド幅と周波数多重化方式に基づいて、前記セルの各ユーザに平均に割り当てられたリソースブロックＲＢ数を演算するように設置される演算モジュールと、
ネットワークシミュレーションを介して前記セルの各ユーザの搬送波対干渉雑音比ＣＩＮＲを取得するように設置される第２のシミュレーションモジュールと、
前記信号対雑音比とスループットとのマッピング関係、前記ＲＢ数及び前記ＣＩＮＲに基づいて、前記セルのユーザスループットを確定するように設置される第１の確定モジュールと、を含むＬＴＥシステムにおけるセルのユーザスループット確定装置。
【請求項９】
前記セルのユーザスループットに基づいて前記セルのスループットを確定するように設置される第２の確定モジュールをさらに含む請求項８に記載の装置。
【請求項１０】
前記セルのスループットは、セル平均スループット及び/セル縁スループットを含む請求項８に記載の装置。
【発明の詳細な説明】
【技術分野】
【０００１】
本発明は、通信分野に関し、具体的に、ＬＴＥ（Long Term Evolution：ロング・ターム・エボリューション）システムにおけるセルのユーザスループットの確定方法及び装置に関する。
【背景技術】
【０００２】
移動通信ネットワークが高速に膨張している今、ネットワークの企画及び研究者たちは、新規のネットワークプロトコル及びアルゴリズムを考慮しつつ、ネットワークの発展のための前向きの基礎研究を行いながら、ネットワークが最高の効率を果たすように、既存のリソースの利用及び整合についての研究も行う必要がある。どちらにしても新規のネットワーク案を検証及び分析する必要がある。ネットワークの企画及び技術研究は、通常、以下のような３種類の手段がある：
（１）研究対象と依存するネットワークシステムに対して初期分析を行って、一定の限定条件及び合理的な仮説に基づいて、研究対象とシステムを述べ、研究対象の数学分析モデルを引き出し、数学分析モデルを用いて問題の解決案を求めるという分析方法である。
（２）研究に必要な合理的なハードウェアとソフトウェアの配置環境を設計し、テストベッドと実験室を構築して、現実のネットワークでネットワークプロトコル、ネットワーク行為、及びネットワーク性能の研究を実現するという実験方法である。
（３）ネットワークシミュレーションソフトウエアを応用して研究されるネットワークシステムの模擬モデルを構築し、コンピュータで当該モデルを運行させて、運行による出力結果を分析するというシミュレーション方法である。
【０００３】
しかし、（１）と（２）はいずれも大きい限界性がある。分析方法の有効性及び精確性は仮説の制限を大きく受ける。システムが複雑である場合、制限性のある仮説でシステムを詳しく表現することができない。実験方法の限界性は、コストが高く、リソースの再配置又は共有が難しく、その応用が融通性に欠けている。一方、シミュレーション方法によると、当該２種類の不足を多く補える。シミュレーション方法は、必要に応じて所望のネットワークモデルを設計し、相対的に少ない時間及び費用でネットワークのそれぞれの条件での各種特性を把握し、ネットワーク研究の豊かな有効データを取得することができる。ネットワークシミュレーションは、明らかに便利で効率的な検証及び分析方法を提供するので、ネットワークシミュレーション技術の現代通信ネットワーク設計及び研究における作用はますます大きくなっている。
【０００４】
リンクレベルのシミュレーションは主に、各種のＲＴＴ(Radio  Transfers  Technology：無線転送技術)技術案の性能を検証する。無線転送技術の物理層の基本的なモジュール及び関連するアルゴリズムに基づいて、適切なチャンネルモデリング方法によって、ポイントツーポイントの無線リンクを構築する。シミュレーション演算によって、基本的なＢＥＲ（Bit  Error  Rate：ビット誤り率）とＳＮＲ（Signal  to  Noise  Ratio：信号対雑音比）の関係を得られる。リンクレベルのシミュレーションとネットワークレベルのシミュレーションは、一連の性能曲線によって互いに接続された架け橋を構築する。このような性能曲線は、瞬間のチャンネルと瞬間のＳＮＲのサブフレームの誤り率関数を示す。リンクレベルのシミュレーションにおいて、加法性白色ガウス雑音は総干渉及び雑音に相当するので、リンクレベルの信号対雑音比の測定は、システムレベルのＣＩＮＲ（Carrier  to  Interference  and  Noise  Ratio：搬送波対干渉雑音比）の測定に相当する。
【０００５】
ＬＴＥシステムは非常に融通が利く、ＦＤＤ（Frequency  Division  Duplexing：周波数分割複信）とＴＤＤ(Time  Division  Duplexing：時分割複信)の２種類の複信方式を支持し、多種類の送信方案も支持し、時間領域、周波数領域、コード領域のリソースの割り当て及びスケジューリングを行うことができる。ＬＴＥシステムの融通性に基づいて、如何に実際のネットワーク環境及び事業者の異なる需要に応じて、ＬＴＥシステムのセル及びユーザスループット分布を高速で正確に推算することで、ネットワークを適切に企画し、ネットワーク構築後に事業者の品質要求を満たすかは、ネットワーク企画における重要な工程である。
関連する技術においてＬＴＥシステムのユーザスループット分布を高速で正確に推算する問題について、未だに有効な解決案が提示されていない。
【発明の概要】
【発明が解決しようとする課題】
【０００６】
本発明は、少なくとも上記の関連技術において如何にＬＴＥシステムのユーザスループットの分布を高速で正確に推算するかの問題を解決できるＬＴＥシステムにおけるセルのユーザスループットの確定方法及び装置を提供することを目的とする。
【課題を解決するための手段】
【０００７】
本発明の一態様によると、リンクシミュレーションを介してセルの信号対雑音比とスループットとのマッピング関係を取得するステップと、ＬＴＥシステムのバンド幅と周波数多重化方式に基づいて、セルの各ユーザに平均に割り当てられたＲＢ（Resource Block：リソースブロック）数を演算するステップと、ネットワークシミュレーションを介して、セルの各ユーザのＣＩＮＲを取得するステップと、信号対雑音比とスループットとのマッピング関係、ＲＢ数及びＣＩＮＲに基づいて、セルのユーザスループットを確定するステップとを含むＬＴＥシステムにおけるセルのユーザスループット確定方法を提供する。
【０００８】
信号対雑音比とスループットとのマッピング関係、ＲＢ数及びＣＩＮＲに基づいて、セルのユーザスループットを確定した後、セルのユーザスループットに基づいてセルスループットを確定するステップをさらに含むことが好ましい。
【０００９】
リンクシミュレーションを介してセルの信号対雑音比とスループットとのマッピング関係を取得するステップは、リンクシミュレーションを介して、セルの信号対雑音比とスループットとのマッピング曲線ＳＮＲ−ＴｈｐＰｅｒＲｂを取得するステップを含むことが好ましい。
【００１０】
ＬＴＥシステムのバンド幅と周波数多重化方式に基づいて、セルの各ユーザに平均に割り当てられたＲＢ数を演算するステップは、ＬＴＥシステムのバンド幅と周波数多重化方式に基づいて、セルの利用可能のＲＢ数ＲｂＮｕｍを演算するステップと、ＲｂＮｕｍに基づいて、セルの各ユーザに平均に割り当てられたＲＢ数ＲｂＮｕｍＰｅｒＵｅを演算するステップとを含むことが好ましく、ここで、演算式は、ＲｂＮｕｍＰｅｒＵｅ=ＲｂＮｕｍ/Ｎｕで、Ｎｕはセルのアクティブユーザ数である。
【００１１】
ネットワークシミュレーションを介して、セルの各ユーザのＣＩＮＲを取得するステップは、セルにＭ個のユーザを配分し、ネットワークシミュレーションを介して、セルのユーザのＣＩＮＲを取得するステップを含むことが好ましい。
【００１２】
信号対雑音比とスループットとのマッピング関係、ＲＢ数及びＣＩＮＲに基づいて、セルのユーザスループットを確定するステップは、ユーザのＣＩＮＲに基づいて、ＳＮＲ−ＴｈｐＰｅｒＲｂ曲線を検索し、ユーザのＣＩＮＲの各送信モードでの対応するスループットＴｈｐＰｅｒＲｂの最大値ＴｈｐＰｅｒＲｂ＿ｊを取得するステップと、ＴｈｐＰｅｒＲｂ＿ｊとＲｂＮｕｍＰｅｒＵｅに基づいて、ユーザのスループットＴｈｐ＿ｊを確定するステップとを含むことが好ましく、演算式は、Ｔｈｐ＿ｊ=ＴｈｐＰｅｒＲｂ＿ｊ*ＲｂＮｕｍＰｅｒＵｅである。
【００１３】
セルスループットは、セル平均スループット及び/セル縁スループットを含むことが好ましい。
【００１４】
本発明の他の一態様によると、リンクシミュレーションを介してセルの信号対雑音比とスループットとのマッピング関係を取得するように設置される第１のシミュレーションモジュールと、ＬＴＥシステムのバンド幅と周波数多重化方式に基づいて、セルの各ユーザに平均に割り当てられたリソースブロックＲＢ数を演算するように設置される演算モジュールと、ネットワークシミュレーションを介してセルの各ユーザの搬送波対干渉雑音比ＣＩＮＲを取得するように設置される第２のシミュレーションモジュールと、信号対雑音比とスループットとのマッピング関係、ＲＢ数及びＣＩＮＲに基づいて、セルのユーザスループットを確定するように設置される第１の確定モジュールと、を含むＬＴＥシステムにおけるセルのユーザスループット確定装置を提供する。
【００１５】
当該装置は、セルのユーザスループットに基づいてセルスループットを確定するように設置される第２の確定モジュールをさらに含むことが好ましい。
【００１６】
セルスループットは、セル平均スループット及び/セル縁スループットを含むことが好ましい。
【発明の効果】
【００１７】
本発明によると、ＬＴＥシステムの信号対雑音比とスループットとのマッピング関係、ユーザの平均ＲＢ数及びユーザのＣＩＮＲを取得し、取得したパラメーターに基づいてセルのユーザスループットを確定することによって、関連技術においてＬＴＥシステムのユーザスループット分布を推算する問題を解決し、ＬＴＥシステムのユーザスループットの分布を高速で正確に推算する効果を実現する。
【図面の簡単な説明】
【００１８】
ここで説明する図面は本発明を理解させるためのもので、本発明の一部を構成し、本発明における実施例はその説明と共に本発明を解釈し、本発明を不当に限定するのではない。
【図１】図１は、本発明の実施例に係わるユーザスループットの確定方法を示す図である。
【図２】図２は、本発明の実施例１に係わるセル及びユーザスループット分布の推算を示すフローチャートである。
【図３】図３は、本発明の実施例に係わるＳＮＲとスループットとのマッピング曲線図である。
【図４】図４は、本発明の実施例に係わるユーザＣＩＮＲ  ＣＤＦの分布図である。
【図５】図５は、本発明の実施例に係わるユーザスループットＣＤＦの分布図である。
【図６】図６は、本発明の実施例２に係わるセル及びユーザスループット分布の推算を示すフローチャートである。
【図７】図７は、本発明の実施例３に係わるセル及びユーザスループット分布の推算を示すフローチャートである。
【図８】図８は、本発明の実施例に係わるユーザスループット確定装置の構造を示すブロック図である。
【図９】図９は、本発明の実施例に係わるユーザスループット確定装置の構造を示す図である。
【発明を実施するための形態】
【００１９】
以下、図面を参照しつつ実施例を結合して本発明を詳しく説明する。ここで、互いに衝突しない限り、本願に記載の実施例及び実施例における特徴を互いに組み合わせることができる。
図１は、本発明の実施例に係わるユーザスループット確定方法を示す図で、図１に示すように、以下のステップを含む。
リンクシミュレーションを介して、セルの信号対雑音比とスループットとのマッピング関係を取得する（ステップＳ１０２）。
【００２０】
ＬＴＥシステムのバンド幅と周波数多重化方式に基づいて、セルの各ユーザに平均に割り当てられたリソースブロックＲＢ数を演算する（ステップＳ１０４）。
【００２１】
ネットワークシミュレーションを介して、セルの各ユーザの搬送波対干渉雑音比ＣＩＮＲを得るする（ステップＳ１０６）。
【００２２】
信号対雑音比とスループットとのマッピング関係、ＲＢ数及びＣＩＮＲに基づいて、セルのユーザスループットを確定する（ステップＳ１０８）。
【００２３】
本実施例において、ＬＴＥシステムの信号対雑音比とスループットとのマッピング関係、ユーザの平均のＲＢ数及びユーザのＣＩＮＲを取得し、取得したパラメーターに基づいてセルのユーザスループットを確定することによって、関連技術においてＬＴＥシステムのユーザスループットの分布を推算する問題を解決し、ＬＴＥシステムのユーザスループットの分布を高速で正確に推算する効果を実現する。
【００２４】
ここで、ステップＳ１０２において、リンクシミュレーションを介して、ＳＮＲとスループットとのマッピング曲線ＳＮＲ−ＴｈｐＰｅｒＲｂを取得する。
【００２５】
ここで、ステップＳ１０４において、システムのバンド幅と周波数多重化方式に基づいて、各セルｉの利用可能のＲＢ数ＲｂＮｕｍを演算する。また、セルｉの各ユーザに平均に割り当てられたＲＢ数ＲｂＮｕｍＰｅｒＵｅ=ＲｂＮｕｍ/Ｎｕを演算する。ここで、Ｎｕはセルｉのアクティブユーザ数である。
【００２６】
ここで、ステップＳ１０６において、各セルｉにＭ個のユーザ（例えば、Ｍ=１０００）を配分し、ネットワークシミュレーションを介して、各ユーザのＣＩＮＲを取得する。
【００２７】
ここで、ステップＳ１０８において、ユーザＣＩＮＲ値に基づいて、ＳＮＲ−ＴｈｐＰｅｒＲｂ曲線を検索する。ユーザｊに対し、そのＣＩＮＲの各送信モードでの対応するＴｈｐＰｅｒＲｂの最大値ＴｈｐＰｅｒＲｂ＿ｊを選択すると、ユーザｊのスループットＴｈｐ＿ｊ=ＴｈｐＰｅｒＲｂ＿ｊ*ＲｂＮｕｍＰｅｒＵｅである。
【００２８】
ここで、ステップＳ１０８の後、ユーザのスループットに基づいて、例えばセル平均スループットとセル縁スループット等のセルｉのスループット指標を演算する。
【００２９】
以下の実施例において、いずれもセル１の、セルあたり１０個のアクティブユーザを例示し、他のセルの操作プロセスはセル１に類似する。
実施例１
本実施例において、キーパラメーターは、ＦＤＤモード、送信モード２、システムバンド幅が１５ＭＨｚ、同一周波数多重化、送信アンテナ数が４、受信アンテナ数が２、である。
【００３０】
図２は、本発明の実施例１に係わるセル及びユーザスループット分布の推算を示すフローチャートで、図２に示すように、以下のステップを含む。
リンクシミュレーションを介して、ＳＮＲとスループットとのマッピング曲線ＳＮＲ−ＴｈｐＰｅｒＲｂを取得し（ステップＳ２０２）、ＳＮＲ−ＴｈｐＰｅｒＲｂ分布曲線を図３に示すとおりである。
【００３１】
各セルの利用可能のＲＢ数ＲｂＮｕｍを演算する（ステップＳ２０４）。同一周波数多重化方式で、各セルの利用可能のＲＢ数はシステムの利用可能の総ＲＢ数とは同じで、ＲｂＮｕｍ=７５である。
【００３２】
各ユーザに平均に割り当てられたＲＢ数ＲｂＮｕｍＰｅｒＵｅを演算し、ＲｂＮｕｍＰｅｒＵｅ=７５/１０=７.５（ステップＳ２０６）。
【００３３】
各セルｉにＭ個のユーザ（例えば、Ｍ=１０００）を配分し、ネットワークシミュレーションを介して、各ユーザのＣＩＮＲを取得する（ステップＳ２０８）。ユーザＣＩＮＲ  ＣＤＦ分布は図４に示すとおりである。
【００３４】
ユーザのＣＩＮＲ値に基づいてＳＮＲ−ＴｈｐＰｅｒＲｂ曲線を検索する（ステップＳ２１０）。ユーザｊに対し、そのＣＩＮＲ値ＣＩＮＲ＿ｊに基づいて、図３中の「送信モード２（ＦＤＤ）」曲線を検索し、各ＲＢのスループットＴｈｐＰｅｒＲｂ＿ｊを選択すると、ユーザｊのスループットＴｈｐ＿ｊ=ＴｈｐＰｅｒＲｂ＿ｊ*ＲｂＮｕｍＰｅｒＵｅであり、取得したユーザスループット分布は図５に示すとおりである。
【００３５】
セル（小区）１のセル平均スループットとセル縁スループット値を演算する（ステップＳ２１２）。ここで、セル平均スループット
【数１】
0005970544.tif 000002
で、セル縁スループットは、９５％のユーザが達することのできるユーザ（用戸）スループット値であり、具体的な値は表１に示す。
【表１】
0005970544.tif 000003
【００３６】
実施例２
本実施例において、キーパラメーターは、ＦＤＤモード、送信モード２、４適応性、システムバンド幅が１５ＭＨｚ、異周波数多重化、送信アンテナ数が４、受信アンテナ数が２、である。
【００３７】
図６は、本発明の実施例２に係わるセル及びユーザスループット分布の推算を示すフローチャートで、図６に示すように、以下のステップを含む。
図３に示すように、リンクシミュレーションを介して、ＳＮＲとスループットとのマッピング曲線ＳＮＲ−ＴｈｐＰｅｒＲｂを取得する（ステップＳ６０２）。
【００３８】
同一周波数多重化方式で、各セルの利用可能のＲＢ数はシステムの利用可能の総ＲＢ数と同じで、ＲｂＮｕｍ =７５である（ステップＳ６０４）。
【００３９】
各ユーザに平均に割り当てられたＲＢ数ＲｂＮｕｍＰｅｒＵｅ=７５/１０=７.５である（ステップＳ６０６）。
【００４０】
各セルｉにＭ個のユーザ（例えば、Ｍ=１０００）を配分し、ネットワークシミュレーションを介して、各ユーザのＣＩＮＲを取得する（ステップＳ６０８）。ユーザのＣＩＮＲ  ＣＤＦ分布は図４に示すとおりである。
【００４１】
ユーザのＣＩＮＲ値に基づいて、ＳＮＲ−ＴｈｐＰｅｒＲｂ曲線を検索する（ステップＳ６１０）。ユーザｊに対し、そのＣＩＮＲ値ＣＩＮＲ＿ｊに基づいて、図３中の「送信モード２（ＦＤＤ）」、「送信モード４単ループ（ＦＤＤ）」、及び「送信モード４双ループ（ＦＤＤ）」曲線を検索し、その最大値を当該ユーザの各ＲＢスループットＴｈｐＰｅｒＲｂ＿ｊとすると、ユーザｊのスループットＴｈｐ＿ｊ=ＴｈｐＰｅｒＲｂ＿ｊ*ＲｂＮｕｍＰｅｒＵｅで、取得したユーザスループットの分布は図５に示すとおりである。
【００４２】
セル１のセル平均スループットとセル縁スループット値を演算する（ステップＳ６１２）。具体的な値は表１を参照する。
【００４３】
実施例３
本実施例において、キーパラメーターは、ＴＤＤモード、送信モード２、システムバンド幅が１５ＭＨｚ、同一周波数多重化、送信アンテナ数が４、受信アンテナ数が２、である。
【００４４】
図７は、本発明の実施例３に係わるセル及びユーザスループット分布の推算を示すフローチャートで、図７に示すように、以下のステップを含む。
図３に示すように、リンクシミュレーションを介して、ＳＮＲとスループットとのマッピング曲線ＳＮＲ−ＴｈｐＰｅｒＲｂを取得する（ステップＳ７０２）。
【００４５】
同一周波数多重化方式で、各セルの利用可能のＲＢ数はシステムの利用可能の総ＲＢ数と同じで、ＲｂＮｕｍ=７５である（ステップＳ７０４）。
【００４６】
各ユーザに平均に割り当てられたＲＢ数ＲｂＮｕｍＰｅｒＵｅ=７５/１０=７.５である（ステップＳ７０６）。
【００４７】
各セルｉにＭ個のユーザ（例えば、Ｍ=１０００）を配分し、ネットワークシミュレーションを介して、各ユーザのＣＩＮＲを取得する（ステップＳ７０８）。ユーザのＣＩＮＲ  ＣＤＦ分布は図４に示すとおりである。
【００４８】
ユーザのＣＩＮＲ値に基づいて、ＳＮＲ−ＴｈｐＰｅｒＲｂ曲線を検索する（ステップＳ７１０）。ユーザｊに対し、そのＣＩＮＲ値ＣＩＮＲ＿ｊに基づいて、図３中の「送信モード２（ＴＤＤ）」曲線を検索し、その最大値を当該ユーザの各ＲＢスループットＴｈｐＰｅｒＲｂ＿ｊとすると、ユーザｊのスループットＴｈｐ＿ｊ=ＴｈｐＰｅｒＲｂ＿ｊ*ＲｂＮｕｍＰｅｒＵｅで、取得したユーザスループットの分布は図５に示すとおりである。
【００４９】
セル１のセル平均スループットとセル縁スループット値を演算する（ステップＳ７１２）。具体的な値は表１を参照する。
【００５０】
図８は、本発明の実施例に係わるユーザスループット確定装置の構造を示すブロック図である。図８に示すように、当該装置は、第１のシミュレーションモジュール１０と、演算モジュール２０と、第２のシミュレーションモジュール３０と、第１の確定モジュール４０と、を含む。
【００５１】
ここで、第１のシミュレーションモジュール１０は、リンクシミュレーションを介してセルの信号対雑音比とスループットとのマッピング関係を取得するように設置される。演算モジュール２０は、ＬＴＥシステムのバンド幅と周波数多重化方式に基づいてセルの各ユーザに平均に割り当てられたリソースブロックＲＢ数を演算するように設置される。第２のシミュレーションモジュール３０は、ネットワークシミュレーションを介してセルの各ユーザの搬送波対干渉雑音比ＣＩＮＲを取得するように設置される。第１の確定モジュール４０は、信号対雑音比とスループットとのマッピング関係、ＲＢ数及びＣＩＮＲに基づいてセルのユーザスループットを確定するように設置される。
【００５２】
本実施例において、ＬＴＥシステムの信号対雑音比とスループットとのマッピング関係、ユーザの平均ＲＢ数及びユーザのＣＩＮＲを取得し、取得したパラメーターに基づいてセルのユーザスループットを確定することによって、関連技術においてＬＴＥシステムのユーザスループットの分布を推算する問題を解決し、ＬＴＥシステムのユーザスループットの分布を高速で正確に推算する効果を実現する。
【００５３】
図９は、本発明の実施例に係わるユーザスループット確定装置の構造を示す図である。図９に示すように、当該装置は、上述の実施例中の各機能モジュール、即ち、第１のシミュレーションモジュール１０と、演算モジュール２０と、第２のシミュレーションモジュール３０と、第１の確定モジュール４０と、を含む。
【００５４】
ここで、当該装置は、セルのユーザスループットに基づいてセルスループットを確定する第２の確定モジュール５０をさらに含む。セルスループットは、セル平均スループットと、セル縁スループットとを含む。
【００５５】
産業実用性
本発明によると、ＬＴＥシステムにおけるセルのユーザスループット確定方法及び装置を提供し、各種のネットワーク配置でのセル及びユーザスループットの分布を高速で正確に推算でき、異なる周波数多重化方式及び送信案を支持し、且つ、ＬＴＥ  ＦＤＤとＴＤＤとの２種類の複信モードに適用できる。
【００５６】
当業者にとって、上述の本発明の各ブロック又は各ステップは共通の計算装置によって実現することができ、単独の計算装置に集中させることができ、または複数の計算装置から構成されるネットワークに分布させることもでき、さらに計算装置が実行可能なプログラムのコードによって実現することもできるので、それらを記憶装置に記憶させて計算装置によって実行することができ、且つ、ある場合に、ここと違う順番で示された或いは説明されたステップを実行し、又は夫々集積回路モジュールに製作し、又はそれらにおける複数のモジュール又はステップを単独の集積回路モジュールに製作して実現することができることは明らかなことである。このように、本発明は如何なる特定のハードウェアとソフトウェアの結合にも限定されない。
【００５７】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0005970544.tif 000004
【図２】
0005970544.tif 000005
【図６】
0005970544.tif 000006
【図７】
0005970544.tif 000007
【図８】
0005970544.tif 000008
【図９】
0005970544.tif 000009
【図３】
0005970544.tif 000010
【図４】
0005970544.tif 000011
【図５】
0005970544.tif 000012